(57)【要約】【課題】  グラビア印刷機において、凹部内へのインキの充填不良を防止し印刷品質を向上させる。【解決手段】  グラビア版胴１の凹部１ａ内へインキ４ａを充填するためのドクターブレード３をヒータ７によって加熱する。また、ドクターブレード３によって凹部１ａ内に充填されるインキ４ａは、カバー８およびドクターブレード３、支持部材５ならびにグラビア版胴１の周面とによって形成されるほぼ密閉された空間１２に覆われている。【選択図】  図１
2011240571.tif 000002
【特許請求の範囲】
【請求項１】
インキが充填される凹部が周面に設けられたグラビア版胴と、このグラビア版胴の周面にインキを供給するインキ供給手段と、このインキ供給手段から供給されたインキを前記凹部内に充填するドクターブレードとを備えたグラビア印刷機において、
前記ドクターブレードによって前記凹部内に充填するインキを加熱する加熱手段を設けたことを特徴とするグラビア印刷機。
【請求項２】
前記加熱手段は前記ドクターブレードを加熱することを特徴とする請求項１記載のグラビア印刷機。
【請求項３】
前記加熱手段によって加熱され、前記ドクターブレードによって前記グラビア版胴の凹部内に充填されるインキを覆うカバーを設けたことを特徴とする請求項１または２記載のグラビア印刷機。
【請求項４】
前記インキが導電性を有することを特徴とする請求項１ないし３のいずれか一項記載のグラビア印刷機。
【発明の詳細な説明】
【技術分野】
【０００１】
本発明は、インキが充填される凹部が周面に設けられたグラビア版胴を備えたグラビア印刷機に関するものである。
【背景技術】
【０００２】
従来のグラビア印刷機としては、インキが充填される凹部が周面に設けられたグラビア版胴と、このグラビア版胴の周面にインキを供給するインキ供給手段と、前記グラビア版胴と互いの周面が対向され互いの周面間に被印刷物が供給される圧胴とを備え、前記グラビア版胴の凹部に充填されたインキを被印刷物に転写するものがある（例えば、特許文献１参照）。
【先行技術文献】
【特許文献】
【０００３】
【特許文献１】特開平０７−２４９９０号公報
【発明の概要】
【発明が解決しようとする課題】
【０００４】
この種のグラビア印刷機では、インキの粘度が高くなるとドクターブレードによってグラビア版胴の凹部内に所定の量のインキが充填されにくくなるため、被印刷物に必要な量のインキが転写できなくなり、転写不良が発生し印刷品質が低下するという問題があった。
【０００５】
本発明は上記した従来の問題に鑑みなされたものであり、その目的とするところは、凹部内へのインキの充填不良を防止し印刷品質を向上させるところにある。
【課題を解決するための手段】
【０００６】
この目的を達成するために、本発明は、インキが充填される凹部が周面に設けられたグラビア版胴と、このグラビア版胴の周面にインキを供給するインキ供給手段と、このインキ供給手段から供給されたインキを前記凹部内に充填するドクターブレードとを備えたグラビア印刷機において、前記ドクターブレードによって前記凹部内に充填するインキを加熱する加熱手段を設けたものである。
【０００７】
本発明は、前記発明において、前記加熱手段は前記ドクターブレードを加熱するものである。
【０００８】
本発明は、前記発明のいずれか一つの発明において、前記加熱手段によって加熱され、前記ドクターブレードによって前記グラビア版胴の凹部内に充填されるインキを覆うカバーを設けたものである。
【０００９】
本発明は、前記発明のいずれか一つの発明において、前記インキが導電性を有するものである。
【発明の効果】
【００１０】
本発明によれば、加熱手段によってグラビア版胴の凹部に充填されるインキの温度が高くなり、粘度が一時的に低下するため、ドクターブレードによってインキが凹部内に充填されやすくなる。このため、所定量のインキが凹部内に充填されるようになるから、被印刷物に転写されるインキも不足するようなことがなくなるので印刷品質が向上する。また、加熱されたインキは、被印刷物に転写されるまでの間に自然冷却によって元の温度に戻るため、被印刷物に転写されるインキの粘度は元に戻り高くなっている。このため、凹部から被印刷物に転写されるインキはそのままの形状が保たれるから高精細な印刷が可能になる。また、加熱手段よる温度の制御は容易であるためインキの粘度管理が容易になる。
【００１１】
前記発明のうちの一つの発明によれば、グラビア版胴の凹部内に充填されるインキを覆うカバーを設けたことによって、温度が高くなったインキから揮発する溶剤の拡散を抑制することができるから、インキの粘度が高くなるようなことがない。このため、ドクターブレードによってインキを凹部内に充填しやすい状態が維持される。
【図面の簡単な説明】
【００１２】
【図１】本発明に係るグラビア印刷機の要部を示す側面図である。
【図２】本発明に係るグラビア印刷機の要部を示す正面図である。
【発明を実施するための形態】
【００１３】
以下、本発明の実施の形態を図１および図２に基づいて説明する。
【００１４】
図１において、符号１で示すものは、インキが充填される凹部１ａが周面に形成されたグラビア版胴であって、左右のフレーム２，２に端軸（図示せず）が回転自在に支持されており、図中反時計方向に回転駆動されている。
【００１５】
３は金属製のドクターブレードであって、インキ供給手段４からグラビア版胴１の周面に供給された導電性を有するインキ４ａをＡ点において凹部１ａ内に充填させるとともに、グラビア版胴１の周面に付着した余分なインキ４ａを掻き取る。このドクターブレード３は、熱伝導性が良好な材料によって偏平な細長の直方体に形成された支持部材５に取り付けられており、支持部材５は、図２に示すようにスタッド６，６を介して左右のフレーム２，２に支持されている。
【００１６】
７は支持部材５を加熱するための加熱手段としてのヒータであって、支持部材５の背面側の略全体に密着した状態で取り付けられている。８はドクターブレード３によって凹部１ａ内に充填されるインキ４ａを覆うカバーであって、グラビア版胴１の軸線方向の両端側に設けられ互いに対向する一対の側板９，９と、これら側板９，９間を連結する連結板１０とによって、グラビア版胴１の周面に対向する側が開口している。連結板１０には、図２に示すようにインキ供給手段４からグラビア版胴１の周面にインキ４ａを供給するための供給孔１０ａが設けられている。
【００１７】
このカバー８は、両側板９，９のグラビア版胴１の周面に対向する湾曲形成された端縁９ａとグラビア版胴１の周面との間にわずかな間隔を有する隙間９ｂが形成されるように両側板９，９がスタッド（図示せず）を介して左右のフレーム２，２に支持されている。このように構成されていることにより、このカバー８は、ドクターブレード３および支持部材５を覆い、これらカバー８、ドクターブレード３、支持部材５ならびにグラビア版胴１の周面とによって、ドクターブレード３によって凹部１ａ内に充填されるインキ４ａを囲むように覆う略密閉された空間１２が形成される。
【００１８】
１３はＢ点においてグラビア版胴１に対向する圧胴であって、グラビア版胴１と同じ径に形成されており、グラビア版胴１と同じ回転速度で図中時計方向に回転駆動されている。１４はグラビア版胴１と圧胴１３との間に供給される被印刷物であって、Ｂ点においてグラビア版胴１の凹部１ａ内に充填されたインキ４ａが転写される。
【００１９】
次に、このように構成されたグラビア印刷機の印刷動作について説明する。予め、ヒータ７によって支持部材５を加熱することにより、支持部材５が熱伝導性が良好な材料によって形成されているため、この支持部材５を介してヒータ７の熱がドクターブレード３に伝導されドクターブレード３も加熱される。
【００２０】
この状態で、グラビア版胴１の周面にインキ供給手段４からインキ４ａが供給されると、供給されたインキ４ａは、ドクターブレード３によってグラビア版胴１の凹部１ａ内に充填されるとともに、グラビア版胴１の周面に付着した余分なインキが掻き取られる。
【００２１】
このとき、ドクターブレード３が加熱されていることにより、このドクターブレード３によって凹部１ａ内に充填されるインキ４ａの温度が高くなることにより、インキ４ａの粘度が一時的に低下する。このため、インキ４ａがドクターブレード３によって凹部１ａ内に充填されやすくなっているから、所定量のインキ４ａが凹部１ａ内に充填される。
【００２２】
Ａ点において凹部１ａ内に充填されたインキ４ａは、Ｂ点において被印刷物１４に転写される。上記したように、凹部１ａ内には所定量のインキ４ａが充填されているため、被印刷物１４に転写されるインキ４ａも不足するようなことがなくなるので印刷品質が向上する。
【００２３】
また、ドクターブレード３によって暖められ温度が高くなったインキ４ａは、Ａ点からＢ点に移動し被印刷物１４に転写されるまでの間に自然冷却によって元の温度に戻る。このため、被印刷物１４に転写されるインキ４ａの粘度は元に戻り高くなっているため、凹部１ａから被印刷物１４に転写されるインキ４ａはそのままの形状が保たれるから高精細な印刷が可能になる。また、ヒータ７の温度は制御し易いためインキ４ａの粘度管理が容易になる。
【００２４】
また、ドクターブレード３によって凹部１ａ内に充填されるインキ４ａが、カバー８およびドクターブレード３、支持部材５ならびにグラビア版胴１の周面とによって形成される略密閉された空間１２に覆われているため、ドクターブレード３によって加熱されたインキ４ａから揮発する溶剤の拡散を抑制することができるから、インキ４ａの粘度が高くなるようなことがない。このため、ドクターブレード３によってインキ４ａが凹部１ａ内に充填されやすい状態を維持することができる。
【００２５】
このとき、カバー８の両側板９の端縁９ａとグラビア版胴１の周面との間に隙間９ｂが形成されているが、グラビア版胴１の回転方向に向かってエアが流れるため、このエアの流れる方向と直交する方向に設けられた隙間からインキ４ａから揮発した溶剤がほとんど流出するようなことがない。したがって、この隙間９ｂによって、カバー８によるインキ４ａから揮発する溶剤の拡散を抑制する機能が低下するようなことがない。
【００２６】
なお、本実施の形態においては、カバー８の両側板９の端縁９ａとグラビア版胴１の周面との間に隙間９ｂを設けたが、従来から広く知られている印刷機のインキ壺装置と同様に、カバー８の両側板９，９の端縁９ａ，９ａをグラビア版胴１の周面と同じ曲率に形成し、端縁９ａ，９ａをグラビア版胴１の周面に押し付けるようにしたり、両側板９，９の内面をグラビア版胴１の端面に対接させたりすることにより、隙間９ｂを設けないようにしてもよい。
【００２７】
また、グラビア版胴１に圧胴１３を対向させ、直接グラビア版胴１から被印刷物１３に転写する印刷機について説明したが、グラビア版胴１と圧胴１３との間にブランケット胴を介装させ、グラビア版胴１からブランケット胴に一旦インキを受け渡し、ブランケット胴から被印刷物１４にインキ４ａを転写するオフセット印刷機にも適用できることは勿論である。また、加熱手段として、支持部材５に設けたヒータ７としたが、略密閉された空間１２内に熱源を設けるようにしてもよく、要は、ドクターブレード３によって凹部１ａ内に充填するインキ４ａを加熱する加熱手段であればよい。
【符号の説明】
【００２８】
１…グラビア版胴、１ａ…インキが充填される凹部、３…ドクターブレード、４…インキ供給手段、４ａ…インキ、５…支持部材、７…ヒータ（加熱手段）、８…カバー、１２…略密閉された空間、１３…圧胴、１４…被印刷物。
【図１】
2011240571.tif 000003
【図２】
2011240571.tif 000004